(57)【要約】      （修正有）【課題】内部に収納したカード状部材を外部から視認でき、卓上に配置可能で且つ持ち運びが可能であるカードケースを提供する。【解決手段】カードケース１は、カード状部材を内部に収納可能な略直方体の本体２と、本体２が転倒しない起立位置と本体２の外面に突出しないように収納される収納位置との間で揺動可能に一端が本体２に係止された収納式脚部３と、を有する。本体２は、収納されたカード状部材と略平行な分割線９１にて分割されており分割線９１のうちの１辺を支点として二つ折り可能にするヒンジ部４をもち、折りたたまれた際の内側にカード状部材をその周辺より保持可能に突出した保持部５と、二つ折り時に保持部５と係合するように突出し二つ折り時の本体２の位置決めをする位置決め部と、係脱自在な係止片７と、ストラップを付設可能なストラップ保持部８と、を有する。【選択図】図１
0003153327.tif 000002
【実用新案登録請求の範囲】
【請求項１】
外部から視認可能にカード状部材を内部に収納可能な収納空間を区画する略直方体の本体と、
前記本体が転倒しない起立位置と前記本体の外面に形成された窪み部に前記本体から突出しないように収納される収納位置との間で、揺動可能に一端が前記本体に係止された収納式脚部と、
を有し、
前記本体は、
収納された前記カード状部材と略平行な分割線にて分割されており、前記分割線のうちの１辺を支点として二つ折り可能にするヒンジ部をもち、
分割された前記本体のうちの一方で、折りたたまれた際の内側に前記カード状部材をその周辺より保持可能に突出した保持部と、
分割された前記本体のうちの他方で、二つ折り時に前記保持部と係合するように突出し前記二つ折り時の前記本体における一方及び他方の位置決めをする位置決め部と、
分割された前記本体のうちの何れかに設けられ、前記本体の双方の間を係脱自在にする係止片と、
前記本体に設けられた貫通孔であり前記二つ折り時にストラップを付設可能なストラップ保持部と、
を有することを特徴とするカードケース。
【請求項２】
前記窪み部又は前記収納式脚部の一端は、前記収納式脚部が前記起立位置から前記収納位置になるのを阻止し、前記本体部の起立を継続できるストッパを有する請求項１又は２に記載のカードケース。
【考案の詳細な説明】
【技術分野】
【０００１】
本発明は、カード状部材を内部に収納可能な収納空間を区画する略直方体の本体からなるカードケースに関する。
【背景技術】
【０００２】
カード状部材を内部に収納可能なカードケースとしては種々ある。様々な大きさのカード状部材を複数収納可能なものや持ち運びしやすい大きさや形状のもの等がある。
【考案の概要】
【考案が解決しようとする課題】
【０００３】
本考案は上記実情に鑑み為されたものであり、卓上に配置可能で且つ持ち運びが可能であるカードケースを提供することを解決すべき課題とする。
【課題を解決するための手段】
【０００４】
上記課題を解決する請求項１に係る発明の構成上の特徴は、
外部から視認可能にカード状部材を内部に収納可能な収納空間を区画する略直方体の本体と、
前記本体が転倒しない起立位置と前記本体の外面に形成された窪み部に前記本体から突出しないように収納される収納位置との間で、揺動可能に一端が前記本体に係止された収納式脚部と、
を有し、
前記本体は、
収納された前記カード状部材と略平行な分割線にて分割されており、前記分割線のうちの１辺を支点として二つ折り可能にするヒンジ部をもち、
分割された前記本体のうちの一方で、折りたたまれた際の内側に前記カード状部材をその周辺より保持可能に突出した保持部と、
分割された前記本体のうちの他方で、二つ折り時に前記保持部と係合するように突出し前記二つ折り時の前記本体における一方及び他方の位置決めをする位置決め部と、
分割された前記本体のうちの何れかに設けられ、前記本体の双方の間を係脱自在にする係止片と、
前記本体に設けられた貫通孔であり前記二つ折り時にストラップを付設可能なストラップ保持部と、
を有することである。
【０００５】
また請求項２に係る発明の構成上の特徴は、請求項１において、前記窪み部又は前記収納式脚部の一端は、前記収納式脚部が前記起立位置から前記収納位置になるのを阻止し、前記本体部の起立を継続できるストッパを有することである。
【考案の効果】
【０００６】
請求項１に係る発明においては、本体内部にカード状部材を収納でき、その本体を転倒しないように起立させることができる収納式脚部を有するため、卓上に起立した状態で配置することができる。また、収納式脚部は、収納位置であれば、持ち運ぶ際に邪魔にならず、更に本体はストラップ保持部を有するため、ストラップを付設してカバンや携帯電話等に取付可能で、カードケース自体の所在が不明になりにくい。
【０００７】
そして、本体はヒンジ部によって二つ折り可能で、二つ折りの状態と二つ折りされていない状態とを維持できるように係脱可能な係止片を有しているため、内部に収納したカード状部材が内部から喪失しにくい。また、本体はカード状部材を周辺より保持する保持部を有しているため、収納したカード状部材も安定して内部に保持される。その他、係止片を脱状態の際は、カード状部材を容易に差し替え可能である。特に、本体は内部が視認可能に透明あるいは表面の一部が開口することで、内部にカレンダーやメモ等を収納し、最新のカレンダーやメモ等にいつでも変更できる。
【０００８】
また、位置決め部により、本体は二つ折りの際、綺麗に二つ折りできる。
【０００９】
請求項２に係る発明においては、窪み部又は収納式脚部の一端に、ストッパを有するため、収納式脚部が起立位置の際、本体を起立させた状態を維持できるため、卓上にしっかりと起立させることができる。
【図面の簡単な説明】
【００１０】
【図１】実施形態のカードケース１の二つ折り状態を表し、（ａ）は本体表２１、（ｂ）は（ａ）の上面図、（ｃ）は（ａ）の底面図、（ｄ）は左側面図、（ｅ）は右側面図である。
【図２】実施形態のカードケース１の二つ折りにしていない状態の本体２の内部を表した説明図である。
【図３】（ａ）は図２の上面図、（ｂ）は図２の底面図である。
【図４】（ａ）は図２の左側面図、（ｂ）は図２の右側面図、（ｃ）は（ｂ）の断面図である。
【図５】（ａ）は実施形態のカードケース１の収納式脚部３が起立位置Ｓで本体２が横置きの状態を示す図であり、（ｂ）は実施形態のカードケース１の収納式脚部３が起立位置Ｓで本体２が縦置きの状態を示す図であり、（ｃ）は実施形態のカードケース１の収納式脚部３が収納位置Ｆにある図２のＣ−Ｃ断面図である。
【図６】図２の裏面図である。
【図７】図２のＡ−Ａ断面図である。
【図８】図２のＢ−Ｂ断面図である。
【考案を実施するための形態】
【００１１】
本実施形態のカードケース１は、図１に示されるように、略直方体の本体２と、本体２から突出しないように収納可能な収納式脚部３とを有する。
【００１２】
本体２は、外部から視認可能にカード状部材（図示略）を内部に収納可能な収納空間を区画し、カード状部材と略平行な分割線９１にて本体表２１と本体裏２２とに分割される。本体２は、透明な部材、例えばポリプロピレン等のプラスチックで形成される。また、本体２の表面の一部を開口させることで、内部に収納したカード状部材を視認可能な状態とするものでも良い。分割線９１は本体２の表面と略平行である。そして、本体２は内部からカード状部材を着脱可能な状態で、図２に示されるように、本体表２１と本体裏２２とに分割される。また本体２は、図４（ｃ）に示されるように、後述する収納式脚部３が本体２から突出しないように収納可能な窪み部２３が外面に形成されている。
【００１３】
収納式脚部３は、図５に示されるように、本体２が転倒しない起立位置Ｓと本体の外面に形成された窪み部２３に本体２から突出しないように収納される収納位置Ｆとの間で、揺動可能に一端３１が本体２に係止される。そして、収納式脚部３は、図２、図３（ｂ）、図５（Ｃ）、図６及び図７に示されるように、本体表２１と本体裏２２のそれぞれに１つ有する。本体２は、収納式脚部３が起立位置Ｓの際、図５（ａ）の横置き、図５（ｂ）の縦置きが可能である。
【００１４】
図２に戻って、収納式脚部３は収納式脚部３の他端３２側に近く窪み部２３に対向する側面に、窪み部２３側に突出した収納凸部３３を有し、窪み部２３には収納凸部３３が係止される収納凹部２３１が形成されており、収納式脚部３の収納位置Ｆから起立位置Ｓへの揺動を一定以上の負荷がかかるまで抑制する。また、窪み部２３は、図４（Ｃ）に示されるように、収納式脚部３の一端３１に対向する側面が収納式脚部３側に突出したストッパ２３２を有し、収納式脚部３が起立位置Ｓの際、収納式脚部３の一端３１がストッパ２３２に接触するため、収納式脚部３のそれ以上の揺動を抑制する。また、収納式脚部３の他端３２は、他端３２側に向かって断面が狭くなるように形成されており、収納式脚部３を収納位置Ｆから揺動させる際に、指先が窪み部２３に挿入しやすい形状をしている。
【００１５】
本体２は、図１及び図２に示されるように、ヒンジ部４と、保持部５と、位置決め部６と、係止片７と、ストラップ保持部８とを有する。本体２は、分割線９１のうちの１辺のヒンジ部４を支点として二つ折りにできる。
【００１６】
保持部５は、図２〜図４に示されるように、分割された本体２のうちの一方の本体表２１で、折りたたまれた際の内側にカード状部材をその周辺より保持可能に突出している。保持部５は、本体表２１の内側中央部分に位置し、分割線９１方向に対して、収納式脚部３及び後述するストラップ保持部７と重ならない。また保持部５は、図３及び図４に示されるように、分割線９１より内側に突出している。
【００１７】
位置決め部６は、分割された本体２のうちの他方の本体裏２２の内側で、二つ折り時に保持部５と係合するように突出し、二つ折り時の本体２における本体表２１及び本体裏２２の位置決めをする。位置決め部６は、保持部５より外側（本体２の側面側）に位置し、保持部５の４辺のうち、３辺に接触する略コ字状である。また位置決め部６は、分割線９１方向に対して内側に突出している。本体２が二つ折りされた状態の断面図が図７及び図８である。本体２は、保持部５と位置決め部６とが分割線９１方向で接触して、二つ折りされている。なお、本体２の本体表２１及び本体裏２２は、それぞれ外面の一部、内部の保持部５とほぼ同じ位置から中央部分全体が内部側に窪んでいる。
【００１８】
また、位置決め部６は、図２及び図３に示されるように、本体２の内部の側面に対向する面に、本体２側に突出した位置決め凸部６１を有する。そして、本体２は位置決め凸部６１に対向する位置に、外面側に窪んだ位置決め凹部２４が形成されている。本体２を二つ折りにした際、位置決め凸部６１と位置決め凹部２４とが係止することでも位置決め及び本体２の二つ折り状態を維持できる。
【００１９】
更に、位置決め部６は、コ字状に開口する側の一端が他端より延長形成された延長副位置決め部６２を有する。延長副位置決め部６２は、揺動する収納式脚部３の他端３２とは異なる側に位置する。延長副位置決め部６２は、本体２が二つ折り時に、最端部が、本体表２１の内部に形成された突起状の副位置決め突起部９２に接触することでも本体２の二つ折りの際の位置決めを行う。
【００２０】
係止片７は、図１〜図４に示されるように、分割された本体２の本体裏２２で、ヒンジ部４に対向する辺に設けられる。係止片７は、分割線９１に対して、内側に突出しており、端部にヒンジ部４側に突出した係止凸部７１を有する。係止凸部７１は、被係止部７２のヒンジ部４側に窪んだ係止凹部７２１に係脱自在で、係止されることで、本体２の二つ折り状態を維持できる。
【００２１】
ストラップ保持部８は、分割線９１方向において、ヒンジ部４と保持部５との間に位置し、本体２に設けられた貫通孔であり、二つ折り時にストラップ（図示略）を付設可能である。
（利用方法）
本実施形態のカードケース１の本体２は透明であるため、内部に収納したカード状部材を視認可能で、本体２の保持部５の内寸より小さくほぼ同じ大きさのカレンダーやメモ等を収納することが考えられる。カード状部材は、保持部５の内部に収納可能の大きさで内寸とほぼ同じ大きさとすることで、保持部５からカード状部材が脱却しにくく、安定して保持される。保持部５にカード状部材が安定して保持されていれば、収納式脚部３を起立位置Ｓにしている場合でも、収納されているカード状部材に表示されている内容を見易い。また、本体２は、カード状部材の片面あるいは両面に記載された内容がカードケース１に保持された状態で視認でき、また収納式脚部３を起立位置Ｓにすることで、卓上に配置できる。そして、カードケース１は、図５（ａ）及び（ｂ）に示されるように、本体２を横置き及び縦置きできるため、カード状部材の記載内容も縦、横自在に表示されたものを収納できる。また、カードケース１の収納式脚部３は、本体表２１及び本体裏２２のどちらにも配置されているため、カード状部材を裏表、気にせずに収納でき、卓上に配置可能である。さらに、二つ折りにされている本体２は係止片７によって係脱可能であるため、保持部５に収納されたカード状部材を取り替え自由であり、カレンダーやメモ等を簡単に入れ替えることができる。
【００２２】
カード状部材としては、カレンダー等の印刷物やメモ等の筆記されたもの以外にもプリントシール機等の写真やメモリカードを収納することができる。保持部５の内寸を２４．５mm×３２．５mm×２．４mm程度にすることでＳＤメモリカード（商標）、２１．５mm×５０mm×２．８mm程度とすることでメモリースティック（商標）を収納するカードケースとすることもできる。その他、保持部５の内寸をｘＤピクチャーカード（商標）やコンパクトフラッシュ（商標）等の大きさで形成することで、様々のメモリーカード用のカードケースとすることができ、メモリーカード以外は保持部５の内寸に合わせることで、カレンダー等も収納できる。
【００２３】
また、本体２のストラップ保持部８にストラップを付設し、かばんや携帯電話機等に取り付けることで、持ち運びでき、また所在不明になりにくい。収納式脚部３は、収納位置Ｆにおいて、収納凸部３３と収納凹部２３１によって本体２外面からの揺動が抑制されているため、持ち運びの際、起立位置Ｓに揺動せず引っかかったりしない。
【符号の説明】
【００２４】
１・・・カードケース
２・・・本体
２１・・・本体表            ２２・・・本体裏
２３・・・窪み部            ２４・・・位置決め凹部
２３１・・・収納凹部 ２３２・・・ストッパ
３・・・収納式脚部
３１・・・一端              ３２・・・他端              ３３・・・収納凸部
４・・・ヒンジ部
５・・・保持部
６・・・位置決め部
６１・・・位置決め凸部             ６２・・・延長副位置決め部
７・・・係止片
７１・・・係止凸部   ７２・・・被係止部   ７２１・・・係止凹部
８・・・ストラップ保持部
９１・・・分割線     ９２・・・副位置決め突起部
【図１】
0003153327.tif 000003
【図２】
0003153327.tif 000004
【図３】
0003153327.tif 000005
【図４】
0003153327.tif 000006
【図５】
0003153327.tif 000007
【図６】
0003153327.tif 000008
【図７】
0003153327.tif 000009
【図８】
0003153327.tif 000010
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
外部から視認可能にカード状部材を内部に収納可能な収納空間を区画する略直方体の本体と、
前記本体が転倒しない起立位置と前記本体の外面に形成された窪み部に前記本体から突出しないように収納される収納位置との間で、揺動可能に一端が前記本体に係止された収納式脚部と、
を有し、
前記本体は、
収納された前記カード状部材と略平行な分割線にて分割されており、前記分割線のうちの１辺を支点として二つ折り可能にするヒンジ部をもち、
分割された前記本体のうちの一方で、折りたたまれた際の内側に前記カード状部材をその周辺より保持可能に突出した保持部と、
分割された前記本体のうちの他方で、二つ折り時に前記保持部と係合するように突出し前記二つ折り時の前記本体における一方及び他方の位置決めをする位置決め部と、
分割された前記本体のうちの何れかに設けられ、前記本体の双方の間を係脱自在にする係止片と、
前記本体に設けられた貫通孔であり前記二つ折り時にストラップを付設可能なストラップ保持部と、
を有することを特徴とするカードケース。
【請求項２】
前記窪み部又は前記収納式脚部の一端は、前記収納式脚部が前記起立位置から前記収納位置になるのを阻止し、前記本体部の起立を継続できるストッパを有する請求項１に記載のカードケース。